(57)【要約】【課題】従来の冷風扇は帯状のフィルターを上下２個のローラーで回動して、フィルターの下部を水タンクの水中に設置し、吸水したフィルターを上部の風路に移動して、水を気化する方法であった。このような構成の冷風扇は組立やメンテナンスが容易ではなかった。【解決手段】本発明では１個のモータで、送風と揚水を行う。モータの一方にファンを取り付け、他方に揚水管を取り付ける。フィルター装置はナイロン等の樹脂製の細目メッシュを採用し、固定して装置される。フィルター装置は２枚でセットとなり、その間で気化部を構成する。モータの下方に連結された揚水管を回転すると、揚水管の内部に形成されている螺旋状溝によって水は上方へ揚水される。揚水された水は散水部によって、フィルターＡ上に散水され、散水された水はフィルターＡ上で膜状に広がり、送風された空気によって気化され、空気は冷却されて吹出口から送風される。【選択図】図１
2006057978.tif 000002
【特許請求の範囲】
【請求項１】
水の蒸発を利用する冷風扇であって、送風装置用のモータと揚水装置用のモータを共用にして１個のモータで送風と揚水を行い、揚水された水をフィルター上に散水すると同時に、散水されたフィルターに送風して気化する構造を形成し、水が蒸発するときの気化熱で空気を冷却する装置。
【請求項２】
請求項１の製品であって、ケーシングＡはケーシングＢから取り外されたとき、ケーシングＡの内部に組み込まれた部品はケーシングＡより突出することが無いように構成され、水タンクはケーシングＢに設置されているが、水タンクはケーシングＢから着脱可能である構成。
【請求項３】
請求項１の構成であって、空気清浄機能および加湿機能を目的とした製品、またはそれらの機能を併せ持つ複合機能冷風扇。
【発明の詳細な説明】
【技術分野】
【０００１】  本発明は冷風扇の新方式を提供するものであり、従来方式に比較して構造が簡単であり、実用性も優れ、メンテナンスが容易である。また、本考案は空気清浄機能と加湿機能を併せ持ちながら、さらに安価な商品を提供するものである。
【背景技術】
【０００２】  第６図は従来の冷風扇の構造を示す一実施例である。このような構成では帯状のフィルターａが上下のローラーｂに掛けられ、上部のローラーｂに装置されたフィルター用モータｃによって、回動される。【０００３】  下部のローラーｂは水タンクｄの水中に設置され、回動するフィルターａは水タンクｄの水ｅを吸水して上部へ移動する。【０００４】  フィルターａはファンｆと吸気口ｇの間に設置されている。ファンｆによって吸気された空気はフィルターａを通過するとき、水ｅの蒸発による気化熱よって熱を奪われて温度が降下する。冷却された空気は吹出口ｈより送風される構成である。【０００５】
【特許文献１】  特開平１１−０００５１６号公報
【特許文献２】  特開平０５−０９３５２４号公報
【発明の開示】
【発明が解決しようとする課題】
【０００６】  従来の方式では送風用モータｉとフィルター用モータｃを装置している。複数のモータを使用するため、駆動部分も多く、組立てが複雑になり高価な商品になっていた。【０００７】  気化部へ水ｅを供給する方法はフィルターａに水ｅを吸収させ、そのフィルターａを回動して風路まで移動させなければならない。そのために下部のローラーｂは水タンクｄの水中に設置する必要がある。このような構成は組み立てやメンテナンスが容易ではなかった。【０００８】  さらにフィルターａは伸縮性があるため吸水して伸びが生じて滑りの問題が発生することもあった。【０００９】  このような従来方式は上下方向に長いフィルターａを設置するため、送風装置であるファンｆも縦長のシロッコファンを採用しなければならない。シロッコファンは製品の小型化を困難にするだけでなく、送風量を増加させる方法としては最適の送風装置ではなかった。【００１０】  吸水したフィルターａはさらに通気性が低下し、水ｅの蒸発量低下と送風効果を低下させるため、蒸発量と送風量の低下によって冷却効果を十分に得ることができなかった。
【課題を解決するための手段】
【００１１】  上記課題を解決するために、本発明では従来の冷風扇の構成を一新する。従来、送風用とフィルター回動用に２個のモータを使用していたが、本発明では１個のモータで、送風と揚水を行う。【００１２】  モータの軸の一方に送風用ファンを、他方に揚水用の揚水管を構成して、１個のモータで同時に送風装置と揚水装置を駆動する。【００１３】  送風装置は風量を増加するために、従来のシロッコファンより送風効率が良い軸流ファンを採用する。【００１４】  フィルター装置はナイロン等の樹脂製の細目メッシュを採用し、固定して装置される。フィルター装置は２枚でセットとなり、その間で気化部を構成する。
【発明の効果】
【００１５】  本発明では組立性、メンテナンス性の簡便化を実現して、送風効率や気化効率を向上した安価な商品を提供できる。
【発明を実施するための最良の形態】
【実施例】
【００１６】  以下、第１図に基づいて本発明を説明する。第１図は本発明の一実施例であり、各構成部品の配置を説明するブロック図である。【００１７】  揚水装置はモータ１と揚水管２、および散水部３によって構成される。散水部３は揚水管２の一部と散水蓋４にて空間を構成し、水散布用の散水孔５が形成されている。揚水管２の下部は水タンク６の水中に達している。【００１８】  モータ１の下方に連結された揚水管２を回転すると、揚水管２の内部に形成されている螺旋状溝７によって水８は上方へ揚水される。揚水された水８は散水部３によって、フィルターＡ９上に散水され、散水された水８はフィルターＡ９上で膜状に広がる。【００１９】  水８は連続して散水されるので余分な水８はフィルターＡ９から落下して下部のフィルターＢ１０上に散水される。フィルターＢ１０上の余分な水８は落下して水受け１１よって収集され、水タンク６に回収される。【００２０】  フィルターＡ９とフィルターＢ１０はナイロン等の細目メッシュ１２とそれを支え、上ケーシング１４に取り付け可能とするための枠体１３によって形成されている。フィルターＡ９とフィルターＢ１０の間に形成される空間は気化部１５となり、水８の蒸発によって気化熱を奪われた空気は温度が低下する。【００２１】  一方、送風装置はモータ１、軸流ファン２２によって構成される。軸流ファン２２はモータ１に直結されている。【００２２】  モータ１によって回転する軸流ファン２２は吸気口１８より空気を吸気して、気化部１５に送風して、フィルターＡ９およびフィルターＢ１０に散水されている水８の一部を気化する。このとき送風された空気は気化熱を奪われ温度が低下する。【００２３】  温度が低下した空気は水受け１１の平面部１６によって風向を変えられ、吹出口１７から冷却された空気を送風する。【００２４】  ケーシングＡ１４は上部に吸気口１８を配置し、側面中央部に吹出口１７を配置する。ケーシングＡ１４の内部には上部にモータ１を固定するモータ架台１９を有する。モータ架台１９の一部は送風路の一部であり、送風孔２０を形成している。【００２５】  フィルターＡ９とフィルターＢ１０、および水受け１１は着脱可能な方法でケーシングＡ１４に取り付けられている。着脱可能な部品は汚れたときのクリーニングを容易にする。【００２６】  水タンク６に給水が必要なとき、ケーシングＡ１４はその内部部品と共にケーシングＢ２１から取り外すことができる。ケーシングＡ１４は揚水管２に対して十分深い長さがあり、揚水管２がケーシングＡ１４から突出することはない。【００２７】  水タンク６はケーシングＢ２１にセットされ、ケーシングＢ２１から着脱可能である。給水のときは水タンク６を外して、水道蛇口から直接に給水することができる。【００２８】  本発明の冷風扇は従来の構成部品を一新しており、水の気化装置と揚水装置は簡便化されて小型化が可能であり、性能は向上している。【００２９】  さらに、本発明の構成は空気清浄機能と加湿機能がある。フィルターＡ９、フィルターＢ１０に送風された空気は、埃や臭いを含んでいる。フィルターＡ９とフィルターＢ１０に散水された水８は埃や臭いを吸着して、蒸発しない余分な水８として水タンク６に��収される。また、気化部１５で空気は加湿されて、吹出口１７から送風される。
【図面の簡単な説明】
【００３０】
【図１】  本発明の冷風扇の基本構成を現したブロック図である。
【図２】  本発明の冷風扇の外観の一実施例である。
【図３】  本発明の実施例の水受けの平面図である。
【図４】  本発明の実施例の水受けの断面図である。
【図５】  本発明の実施例のフィルターＡの平面図である。
【図６】  従来の冷風扇の基本構成を現したブロック図である。
【符号の説明】
【００３１】  １    モータ                        １２  細目メッシュ
２    揚水管                        １３  枠体
３    散水部                        １４  ケーシングＡ
４    散水蓋                        １５  気化部
５    散水孔                        １６  平面部
６    水タンク                      １７  吹出口
７    螺旋状溝                      １８  吸気口
８    水                            １９  モータ架台
９    フィルターＡ                  ２０  送風孔
１０  フィルターＢ                  ２１  ケーシングＢ
１１  水受け                        ２２  軸流ファン
ａ    フィルター                    ｆ    ファン
ｂ    ローラー                      ｇ    吸気口
ｃ    フィルター用モータ            ｈ    吹出口
ｄ    水タンク                      ｉ    送風用モータ
ｅ    水
【図１】
2006057978.tif 000003
【図２】
2006057978.tif 000004
【図３】
2006057978.tif 000005
【図４】
2006057978.tif 000006
【図５】
2006057978.tif 000007
【図６】
2006057978.tif 000008